(57)【特許請求の範囲】
【請求項１】
第１光発生部及び前記第１光発生部と一体に形成された第２光発生部を備えて、光を発生するための第１ランプユニットと、
前記光が入射される側面と、前記側面と連結され前記入射光を反射する反射面と、前記反射面と向き合うように前記側面と連結され前記入射光及び反射光を全面的に射出する射出面とを備えて、前記光をガイドするための導光ユニットと、
基底面、及び前記基底面の端部から延び前記導光ユニットの側面と向き合う側壁を備えて、前記第１ランプユニット及び前記導光ユニットを収納し、二以上の切片に分離され、前記第１ランプユニットを外部に取り出すための収納容器とを含み、
前記収納容器は第１側壁と、前記第１側壁に連結された第１底部を具備する第１部品及び互いに向き合う第２及び第３側壁と前記第１側壁と向き合う第４側壁と、前記第２乃至第４側壁に連結された第２底部を具備する第２部品を含み、前記第１底部と前記第２底部は連続的に連結されるように前記第１底部のエッジの側面と前記第２底部のエッジの側面は接触することを特徴とするバックライトアセンブリ。
【請求項２】
前記第１光発生部は前記収納容器の前記第１側壁と前記導光ユニットの第１側面との間に収納され、前記第２光発生部は前記収納容器の前記第２側壁と前記導光ユニットの第２側面との間に収納されることを特徴とする請求項１に記載のバックライトアセンブリ。
【請求項３】
前記第１部品の両端部には結合孔が形成され、前記両端部と係合する前記第２部品には結合突起が形成され、前記結合孔に前記結合突起が挿入されることにより前記第１部品と前記第２部品とが結合されることを特徴とする請求項１に記載のバックライトアセンブリ。
【請求項４】
前記第１ランプユニットは、
Ｌ型ランプと、
前記Ｌ型ランプの一側をカバーして前記光を前記導光ユニットに反射するためのランプ反射板と
を含むことを特徴とする請求項１に記載のバックライトアセンブリ。
【請求項５】
前記ランプ反射板は前記第１部品に固定されることを特徴とする請求項４に記載のバックライトアセンブリ。
【請求項６】
前記第１ランプユニットは、
前記第１光発生部と、前記第２光発生部と、前記第２光発生部と一体に形成され、前記第１光発生部と向き合う第３光発生部とを有するＵ型ランプと、
前記Ｕ型ランプの一側をカバーして前記光を前記導光ユニット側に反射するためのランプ反射板とを含むことを特徴とする請求項１に記載のバックライトアセンブリ。
【請求項７】
前記第１光発生部は、前記収納容器の前記第１側壁と前記導光ユニットの第１側面との間に収納され、前記第２光発生部は前記収納容器の前記第２側壁と前記導光ユニットの第２側面との間に収納され、前記第３光発生部は前記収納容器の前記第３側壁と前記導光ユニットの第３側面との間に収納されることを特徴とする請求項６に記載のバックライトアセンブリ。
【請求項８】
前記ランプ反射板は前記第１部品に固定されることを特徴とする請求項７に記載のバックライトアセンブリ。
【請求項９】
前記第３光発生部及び前記第３光発生部と一体に形成された第４光発生部を備え、光を発生するための第２ランプユニットをさらに含むことを特徴とする請求項１に記載のバックライトアセンブリ。
【請求項１０】
第１光発生部及び前記第１光発生部と一体に形成された第２光発生部を備えて、光を発生するための第１ランプユニットと、前記光が入射される側面と、前記側面と連結され前記入射光を反射する反射面と、前記反射面と向き合うように前記側面と連結され前記入射光及び前記反射光を全面的に射出する射出面とを備えて、前記光をガイドするための導光ユニットと、基底面、及び前記基底面の端部から延び前記導光ユニットの側面と向き合う側壁を備えて、前記第１ランプユニット及び前記導光ユニットを収納し、二以上の切片に分離され前記第１ランプユニットを外部に取り出すための収納容器を含み、
前記収納容器は第１側壁と、前記第１側壁に連結された第１底部を具備する第１部品、前記第１側壁に隣接した第２側壁と前記第１側壁と向き合う第４側壁と、前記第２及び第４側壁に連結された第２底部を具備する第２部品及び前記第２側壁と向き合う第３側壁と前記第３側壁に連結された第３底部を具備する第３部品を含み、前記第１乃至第３底部は連続的に連結されるように前記第１底部のエッジの側面と前記第２及び第３底部のエッジの側面は接触することを特徴とするバックライトアセンブリ。
【請求項１１】
第３光発生部及び前記第３光発生部と一体に形成された第４光発生部を備えて光を発生するための第２ランプユニットを更に含み、
前記第１光発生部は、前記収納容器の前記第１側壁と前記導光ユニットの第１側面との間に収納され、前記第２光発生部は前記収納容器の前記第２側壁と前記導光ユニットの第２側面との間に収納され、前記第３光発生部は前記収納容器の前記第３側壁と前記導光ユニットの第３側面との間に収納され、前記第４光発生部は前記収納容器の前記第４側壁と前記導光ユニットの第４側面との間に収納されることを特徴とする請求項１０に記載のバックライトアセンブリ。
【請求項１２】
前記第１ランプユニットは前記第１部品に固定され、前記第２ランプユニットは第３部品に固定されることを特徴とする請求項１１に記載のバックライトアセンブリ。
【請求項１３】
前記第１ランプユニットは、
第１Ｌ型ランプと、
前記第１Ｌ型ランプの一側をカバーして前記光を前記導光ユニットに反射するための第１ランプ反射板とを含み、
前記第２ランプユニットは、
第２Ｌ型ランプと、
前記第２Ｌ型ランプの一側をカバーして前記光を前記導光ユニットに反射するための第２ランプ反射板とを含むことを特徴とする請求項９に記載のバックライトアセンブリ。
【請求項１４】
前記第１ランプ反射板は、
前記第１Ｌ型ランプを隔てて前記導光ユニットの側面と向き合う第１反射面と、
前記第１反射面の第１端部から延びる第２反射面と、
前記第１端部と反対側の第２端部から前記第１Ｌ型ランプの両端部を連結する直線まで延びるように形成され、前記導光ユニットの反射面から漏洩した光を前記導光ユニットの反射面に反射するための第３反射面とを備え、
前記第２ランプ反射板は、
前記第２Ｌ型ランプを隔てて、前記導光ユニットの側面と向き合う第４反射面と、
前記第４反射面の第３端部から延びる第５反射面と、
前記第３端部と反対側の第４端部から前記第２Ｌ型ランプの両端部を連結する直線まで延びるように形成され、前記導光ユニットの反射面から漏洩した光を前記導光ユニットの反射面側に反射するための第６反射面とを備える
ことを特徴とする請求項１３に記載のバックライトアセンブリ。
【請求項１５】
前記第３反射面の縁端面と前記第６反射面の縁端面は、面接触することを特徴とする請求項１４に記載のバックライトアセンブリ。
【請求項１６】
第１光発生部及び前記第１光発生部と一体に形成された第２光発生部を備えて、光を発生するための第１ランプユニット、
前記光が入射される側壁と、前記側壁と連結され前記入射光を反射する反射面と、前記反射面と向き合うように前記側壁に連結され前記入射光及び反射光を全面的に射出する射出面とを備えて、前記光をガイドするための導光ユニット、
基底面と、前記基底面の端部から延び、前記導光ユニットの側面と向き合う側壁と、前記側壁から前記基底面と向き合うように延びた上面とを備えて、前記第１ランプユニット及び前記導光ユニットを収納し、二以上の切片に分離されて前記第１ランプユニットを外部に取出すための第１収納容器、
前記射出面の上方に配置され、前記光の提供を受けて、前記光に応答して充填された液晶層を通じて映像を表示するための液晶表示パネル、及び
前記第１収納容器と対向して結合し、前記液晶表示パネルをガイドするための第２収納容器を含み、
前記収納容器は第１側壁と、前記第１側壁に連結された第１底部を具備する第１部品及び互いに向き合う第２及び第３側壁と前記第１側壁と向き合う第４側壁と、前記第２乃至第４側壁に連結された第２底部を具備する第２部品を含み、前記第１底部と前記第２底部は連続的に連結されるように前記第１底部のエッジの側面と前記第２底部のエッジの側面は接触することを特徴とする液晶表示装置。
【請求項１７】
前記液晶表示装置は、第３光発生部及び前記第３光発生部と一体に形成された第４光発生部を備えて光を発生するための第２ランプユニットをさらに含むことを特徴とする請求項１６に記載の液晶表示装置。
【請求項１８】
第１光発生部及び前記第１光発生部と一体に形成された第２光発生部を備えて、光を発生するための第１ランプユニットと、前記光が入射される側壁と、前記側壁と連結され前記入射光を反射する反射面と、前記反射面と向き合うように前記側壁と連結され前記入射光及び反射光を全面的に射出する射出面とを備えて、前記光をガイドするための導光ユニットと、基底面、及び前記基底面の端部から延び前記導光ユニットの側面と向き合う側壁と、前記側壁から前記基底面と向き合うように延長された表面を備えて、前記第１ランプユニット及び前記導光ユニットを収納し、二以上の切片に分離され、前記第１ランプユニットを外部に取り出すための第１収納容器、前記射出面の上方に配置され、前記光の提供を受けて、前記光に応答して充填された液晶層を通じて映像を表示するための液晶パネル、及び前記第１収納容器と対向して結合し、前記液晶表示パネルをガイドするための第２収納容器を含み、
前記第１収納容器は、
第１側壁と、前記第１側壁に連結された第１底部と、前記第１底部と向き合うように前記第１側壁に連結された第１上面とを備える第１部品、
前記第１側壁に隣接する第２側壁と、前記第１側壁と向き合う第４側壁と、前記第２側壁及び第４側壁に連結された第２底部と、前記第２底部と向き合うように前記第２及び第４側壁に連結された第２上面とを備える第２部品、及び
前記第２側壁と向き合う第３側壁と、前記第３側壁に連結された第３底部と、前記第３底部と向き合うように前記第３側壁に連結された第３上面とを備える第３部品を含み、前記第１乃至第３底部は連続的に連結されるように前記第１底部のエッジの側面と前記第２及び第３底部のエッジの側面は接触することを特徴とする請求項１７に記載の液晶表示装置。
【請求項１９】
前記第１光発生部は前記第１収納容器の前記第１側壁と前記導光ユニットの第１側面との間に収納され、前記第２光発生部は前記第１収納容器の前記第２側壁と前記導光ユニットの第２側面との間に収納され、前記第３光発生部は前記第１収納容器の前記第３側壁と前記導光ユニットの第３側面との間に収納され、前記第４光発生部は前記第１収納容器の前記第４側壁と前記導光ユニットの第４側面との間に収納されることを特徴とする請求項１８に記載の液晶表示装置。
【請求項２０】
前記第２収納容器は、前記第１収納容器の前記第１、第２及び第３上面と各々向き合う第１、第２及び第３カバー面と、前記第２カバー面から延び、前記２及び第４側壁と各々結合する第１及び第２側壁面とを備えることを特徴とする請求項１８に記載の液晶表示装置。
【請求項２１】
前記第２収納容器の前記第１及び第３カバー面には、複数の第１結合孔が各々形成され、前記第１収納容器の前記第１及び第３上面には前記複数の第１結合孔に対応して結合する複数の第１結合突起が各々形成されることを特徴とする請求項２０に記載の液晶表示装置。
【請求項２２】
前記第２収納容器の前記第１及び第２側壁面には、複数の第２結合孔が各々形成され、前記第１収納容器の前記第２及び第４側壁には前記複数の第２結合孔に対応して結合する複数の第２結合突起が各々形成されることを特徴とする請求項２１に記載の液晶表示装置。
【請求項２３】
前記液晶表示装置は、前記第１及び第２ランプユニット、導光ユニット及び第１収納容器を収納し、前記第２収納容器と結合するための第３収納容器をさらに含むことを特徴とする請求項１８に記載の液晶表示装置。
【請求項２４】
前記第３収納容器は、前記第１収納容器が定着される定着面及び前記定着面から延び前記１収納容器の第２及び第４側壁と各々結合する第３及び第４側壁面を備えることを特徴とする請求項２３に記載の液晶表示装置。
【請求項２５】
前記液晶表示装置は、前記液晶表示パネルの非有効ディスプレー領域に付着され、前記液晶表示パネルを駆動するための駆動モジュールをさらに含むことを特徴とする請求項１８に記載の液晶表示装置。
【請求項２６】
前記駆動モジュールは、前記第１収納容器の第２側壁または第４側壁を取囲みながら曲がって、前記第１収納容器の背面に定着されることを特徴とする請求項２５に記載の液晶表示装置。
【発明の詳細な説明】
【０００１】
【発明の属する技術分野】
本発明はバックライトアセンブリ及びこれを有する液晶表示装置に関するものであり、より詳細には、作業効率を向上させることができるバックライトアセンブリ及びこれを有する液晶表示装置に関するものである。
【０００２】
【従来の技術】
一般に、使用者が情報処理装置で処理された情報を目で確認するためにはインターフェース機能を有するディスプレー装置を必要とする。最近、ＣＲＴ（Ｃａｔｈｏｄｅ  Ｒａｙ  Ｔｕｂｅ）方式のディスプレー装置に比べて、軽量、小型でありながら、フル−カラー、高解像度などの機能を有する液晶表示装置の開発が進んでいる。その結果、液晶表示装置は代表的な情報処理装置であるコンピュータのモニター、家庭用壁掛けテレビ、その他の情報処理装置のディスプレー装置として広く使用されることになった。
【０００３】
図１は、従来の液晶表示装置を示した分解斜視図である。
【０００４】
図１に示すように、モールドフレーム１０の両側部には、各々第１及び第２収納空間が用意されている。前記第１及び第２収納空間には、各々複数のランプにより構成された第１ランプ部１６及び第２ランプ部１８が収納される。前記第１及び第２ランプ部１６、１８と前記モールドフレーム１０との間には、前記第１及び第２ランプ部１６、１８からの光を反射するための第１及び第２ランプカバー１２、１４が前記第１及び第２ランプ部１６、１８を各々カバーするように配置される。前記第１及び第２ランプ部１６、１８の間には、前記第１及び第２ランプ部１６、１８からの光を上側にガイドして射出するための導光板２２が収納され、前記導光板２２の下には前記導光板２２から漏洩する光を再反射するための反射板２０が設けられる。
【０００５】
また、前記導光板２２の上面には前記導光板２２から射出された光の輝度特性を制御するための光学シート２６が設けられ、前記光学シート２６の上面には前記光学シート２６から提供される光に応答して映像を表示するためのディスプレーユニット２８が設けられる。
【０００６】
一方、前記モールドフレーム１０は前記ディスプレーユニット２８の有効画面表示領域が露出されるように基底面が開口されたトップシャーシ３０と対向して結合し、前記ディスプレーユニット２８を固定する。
【０００７】
このように、ランプから発生された光を利用して映像を表示する液晶表示装置４０において、前記ディスプレーユニット２８の表示画面が大きくなると、前記ディスプレーユニット２８で映像を表示するに必要とする光の量もともに増加する。即ち、映像の表示領域に関係なしに前記第１及び第２ランプ部１６、１８から前記導光板２２を通してディスプレーユニット２８に提供される光が均一な輝度分布を維持するためには、液晶表示装置４０の大きさの増加に比例する光量を必要とする。
【０００８】
このために、図１に示したように、複数のランプを用いた液晶表示装置４０が広く使用されている。
【０００９】
しかし、映像を表示するに適する光量を確保するために前記導光板２２の側面に配置される第１及び第２ランプ部１６、１８のランプの個数を増加させると、図１に示したように液晶表示装置４０の厚さが厚くなるという問題がある。
【００１０】
また、前記第１及び第２ランプ部１６、１８を構成するランプが前記導光板２２の互いに対向する側面にのみ配置されているために、ランプから発生する熱が一部分に集中する。これにより、前記第１及び第２ランプ部１６、１８に隣接する前記ディスプレーユニット２８の回路部品が損傷するという問題点がある。
【００１１】
【発明が解決しようとする課題】
本発明の目的は、十分な光量を確保することができ、作業効率を向上させることができるバックライトアセンブリを提供することにある。
【００１２】
本発明の他の目的は、十分な光量を確保することができ、作業効率を向上させることができる液晶表示装置を提供することにある。
【００１３】
【発明の解決するための手段】
上述した目的を達成するための本発明によるバックライトアセンブリは、第１光発生部及び前記第１光発生部と一体に形成された第２光発生部を備えて、光を発生するための第１ランプユニットと、前記光が入射される側壁、前記側壁と連結され前記入射光を反射する反射面及び前記反射面と向き合うように前記側壁に連結され前記入射光及び反射光を全面的に射出する射出面を備えて前記光をガイドするための導光ユニットと、基底面及び前記基底面の端部から延び前記導光ユニットの側面と向き合う側壁を備えて、前記第１ランプユニット及び前記導光ユニットを収納し、二以上の切片に分離され、前記第１ランプユニットを外部に取り出すための収納容器とを含む。
【００１４】
また、上述した他の目的を達成するための本発明による液晶表示装置は、第１光発生部及び前記第１光発生部と一体に形成された第２光発生部を備えて、光を発生するための第１ランプユニットと、前記光が入射される側壁、前記側壁と連結され前記入射光を反射する反射面及び前記反射面と向き合うように前記側壁を連結され前記入射光及び反射光を全面的に射出する射出面を備えて、前記光をガイドするための導光ユニットと、基底面及び前記基底面の端部から延び、前記導光ユニットの側面と向き合う側壁を備えて、前記第１ランプユニット及び導光ユニットを収納し、二以上の切片に分離されて前記第１ランプユニットを外部に取出すための第１収納容器と、前記射出面の上方に配置され、前記光の提供を受けて、前記光に応答して充填された液晶層を通じて映像を表示するための液晶表示パネルと、前記第１収納容器と対向して結合し、前記液晶表示パネルをガイドするための第２収納容器とを含む。
【００１５】
このような、バックライトアセンブリ及びこれを有する液晶表示装置によると、ランプユニットと、導光板と、光学シート類と、反射板とを収納するモールドフレームは、二以上の切片に分離される。前記モールドフレームが二以上の切片に分離される時にランプユニットを前記液晶表示装置の外部に引き出すことができるので、前記液晶表示装置の作業効率を向上させることができる。
【００１６】
【発明の実施の形態】
以下、図面を参照して本発明の望ましい一実施形態をより詳細に説明する。
【００１７】
＜第１実施形態＞
図２は本発明の望ましい第１実施形態による液晶表示装置を具体的に示した分解斜視図であり、図３は図２に示した液晶表示装置を切断線I−I′で切断して示した断面図である。
【００１８】
図２及び図３に示すように、液晶表示装置５００は画像信号が印加され画像を表示するためのディスプレーユニット１００及び前記ディスプレーユニット１００に光を提供するためのバックライトアセンブリ２００を有する。
【００１９】
前記ディスプレーユニット１００は液晶表示パネル１１０、データ印刷回路基板１２０、ゲート印刷回路基板１３０、データ側テープキャリアパッケージ（以下、ＴＣＰと称する）１４０及びゲート側ＴＣＰ１５０とを含む。前記液晶表示パネル１１０は薄膜トランジスター（以下、ＴＦＴと称する）基板１１３とカラーフィルタ基板１１１と液晶（図示せず）とを含む。
【００２０】
前記ＴＦＴ基板１１３はマトリックス状のＴＦＴ（図示せず）が形成されている透明なガラス基板である。前記ＴＦＴソース端子にはデータラインが連結され、ゲート端子にはゲートラインが連結される。また、ドレーン端子には透明な導電性材質であるインジウムティンオキサイド（ＩＴＯ）より成る画素電極を用いて形成される。データライン及びゲートラインに電気信号が入力されると、各々のＴＦＴのソース端子とゲート端子に電気信号が入力され、これら電気信号の入力によりＴＦＴはターンオンまたはターンオフされ、ドレーン端子として画素形成に必要である電気信号が出力される。
【００２１】
前記ＴＦＴ基板１１３に対向してカラーフィルタ基板１１１が備えられている。前記カラーフィルタ基板１１１は光が通過すると所定の色が発現する色画素であるＲＧＢ画素が薄膜工程により形成された基板である。前記カラーフィルタ基板１１１の前面にはＩＴＯから成る共通電極が塗布されている。
【００２２】
前述したＴＦＴ基板１１３のトランジスターのゲート端子及びソース端子に電源電圧が印加されてＴＦＴがターンオンされると、画素電極とカラーフィルタ基板の共通電極との間には電界が形成される。このような電界によりＴＦＴ基板１１３とカラーフィルタ基板１１１の間に注入された液晶の配列角が変化し、変化した配列角に従って光透過率が変更されて所望の画素を得ることになる。
【００２３】
図示したように、前記液晶表示パネル１１０のソース側にはデータ駆動信号の印加時期を決定するデータ側ＴＣＰ１４０が付着されており、ゲート側にはゲートの駆動信号の印加時期を決定するためにゲート側ＴＣＰ１５０が付着されている。前記データ印刷回路基板１２０は前記データ側ＴＣＰ１４０と接続され、前記液晶表示パネル１１０の外部から映像信号の入力を受けてデータラインに駆動信号を印加する。前記ゲート印刷回路基板１３０は前記ゲート側ＴＣＰ１５０と接続されゲートラインに駆動信号を印加する。
【００２４】
一方、図２では、前記液晶表示装置５００が前記データ印刷回路基板１２０と前記ゲート印刷回路基板１３０とを別途に備えることを示したが、前記データ印刷回路基板１２０と前記ゲート印刷回路基板１３０が一体的に統合された統合印刷回路基板（図示せず）一つのみを備えることができる。
【００２５】
前記バックライトアセンブリ２００は、光を発生する第１ランプユニット２１０、第２ランプユニット２２０、前記光を前記ディスプレーユニット１００にガイドする導光板２３０、前記導光板２３０の上部に定着され、前記導光板２３０からの光の視野角を調節する光学シート類２４０、及び、前記導光板２３０から漏洩された光を、前記導光板２３０に反射するための反射板２４５を備える。前記導光板２３０、第１ランプユニット２１０、第２ランプユニット２２０、光学シート類２４０及び反射板２４５はモールドフレーム２８０に収納される。
【００２６】
前記モールドフレーム２８０は、前記導光板２３０、第１ランプユニット２１０、第２ランプユニット２２０、光学シート類２４０及び反射板２４５を収納した状態でボトムシャーシ４００に収納される。以後、前記光学シート類２４０上には前記ディスプレーユニット１００が定着され、前記ディスプレーユニット１００は前記ボトムシャーシ４００と対向して結合するトップシャーシ３００により固定される。
【００２７】
図４は図２に示したバックライトアセンブリ２００の結合構造を具体的に示した斜視図である。図５は図４に示したバックライトアセンブリ２００を切断線II−II′に切断して示した断面図であり、図６は図４に示したバックライトアセンブリを切断線III−III′に切断して示した断面図である。
【００２８】
図４乃至図６に示すように、バックライトアセンブリ２００は板形状を有する導光板２３０を備える。具体的に、前記導光板２３０は光が入射される四つの側面２３１、２３２、２３３、２３４、前記四つの側面２３１、２３２、２３３、２３４の間に備えられた射出面２３５と反射面２３６からなる。前記射出面２３５は前記光を射出し、前記反射面２３６は前記光を前記射出面２３５側に反射する。したがって、前記導光板２３０は前記四つの側面２３１、２３２、２３３、２３４を通じて入射された光を前記液晶表示パネル１１０にガイドする。
【００２９】
前記バックライトアセンブリ２００は前記第１及び第２ランプユニット２１０、２２０を備える。前記第１ランプユニット２１０は、第１光発生部Ｇ１及び前記第１光発生部Ｇ１と一体に形成された第２光発生部Ｇ２を有する第１Ｌ型ランプ２１１と、前記第１Ｌ型ランプ２１１をカバーする第１ランプ反射板２１３とよりなる。前記第２ランプユニット２２０は第３光発生部Ｇ３及び前記第３光発生部Ｇ３と一体に形成された第４光発生部Ｇ４を有する第２Ｌ型ランプ２２１及び前記第２Ｌ型ランプ２２１をカバーする第２ランプ反射板２２３からなる。
【００３０】
図５及び図６に示すように、前記第１Ｌ型ランプ２１１の第１光発生部Ｇ１が前記導光板２３０の第１側壁２３１に配置され、前記第２光発生部Ｇ２が前記導光板２３０の第２側壁２３２に配置される。一方、前記第２Ｌ型ランプ２２１の第３光発生部Ｇ３が前記導光板２３０の第３側面２３３に配置され、前記第４光発生部Ｇ４が前記導光板２３０の第４側面２３４に配置される。
【００３１】
前記第１ランプ反射板２１３は前記第１Ｌ型ランプ２１１の一側（導光板２３０側）は開口させ、前記一側と向き合う他方側を取り囲むように設けられて、前記光を前記導光板２３０に反射する。この時、前記第１ランプ反射板２１３は前記第１光発生部Ｇ１と第２光発生部Ｇ２とを同時にカバーするために、第１ランプ反射板２１３は前記第１Ｌ型ランプ２１１のようにＬ型に形成される。一方、前記第２ランプ反射板２２３は、前記第２Ｌ型ランプ２２１の一側（導光板２３０側）は開口させ、前記一側と向き合う他方側を取り囲むように設けられて、前記光を導光板２３０側に反射する。
【００３２】
前記第１及び第２ランプ反射板２１３、２２３は、接着剤または接着テープにより前記モールドフレーム２８０に堅固に固定される。
【００３３】
図５及び図６に示すように、前記モールドフレーム２８０は基底面２８５、収納空間をなすように前記基底面２８５の端部から延びる四つの側壁２８１、２８２、２８３、２８４、及び前記四つの側壁２８１、２８２、２８３、２８４から前記基底面２８５と向き合うように延びる四つの上面２８６、２８７、２８８、２８９からなる。前記収納空間には前記モールドフレーム２８０の前記四つの側壁２８１、２８２、２８３、２８４と前記導光板２３０の前記四つの側面２３１、２３２、２３３、２３４とが向き合うように前記導光板２３０が収納される。
【００３４】
前記導光板２３０の第１及び第２側壁２３１、２３２と、前記モールドフレーム２８０の第１及び第２側壁２８１、２８２との間に、前記第１ランプユニット２１０が収納される。前記導光板２３０の第３及び第４側壁２３３、２３４と前記モールドユニット２８０の第３及び第４側壁２８３、２８４との間に、前記第２ランプユニット２２０が収納される。一方、前記導光板２３０上には前記光学シート類２４０が収納される。
【００３５】
図７は、図４に示したバックライトアセンブリの第１及び第２ランプユニットが分離された状態を示した斜視図である。
【００３６】
図７に示すように、前記第１側壁２８１は前記第２及び第３側壁２８２、２８３から分離され、第１上面２８６は、第２及び第３上面２８７、２８８から分離される。また、前記第１側壁２８１と連結され、前記第１上面２８６と向い合う第１基底面２８５ａは、第３基底面２８５ｃから分離される。以下、前記第１側壁２８１、第１上面２８６及び第１基底面２８５ａからなる構成要素を“第１モールド切片２６０”と称する。
【００３７】
一方、前記第３側壁２８３は前記第１及び第４側壁２８１、２８４から分離され、前記第３側壁２８３と連結された第３上面２８８は第１及び第４上面２８６、２８９から分離される。また、前記第３側壁２８３と連結され、前記第３上面２８８と向い合う第２基底面２８５ｂは、前記第３基底面２８５ｃから分離される。以下、前記第３側壁２８３と、第３上面２８８と、第２基底面２８５ｂとからなる構成要素を“第２モールド切片２７０”と称する。
【００３８】
ここで、前記第１及び第２モールド切片２６０、２７０を除外した残りの切片を“第３モールド切片２５０”と称する。前記第３モールド切片２５０は第２側壁２８２と、前記第２側壁２８２と連結された第４側壁２８４と、前記第２及び第４側壁２８２、２８４から各々延びた第２及び第４上面２８７、２８９と、第３基底面２８５ｃとからなる。
【００３９】
前記第３モールド切片２５０から前記第１モールド切片２６０が分離されると、前記第１モールド切片２６０とともに前記第１ランプユニット２１０が前記第３モールド切片２５０から引出される。また、前記第３モールド切片２５０から前記第２モールド切片２７０が分離されると、前記第２モールド切片２７０とともに前記第２ランプユニット２２０が前記第３モールド切片２５０から引出される。
【００４０】
ここで、前記第１ランプ反射板２１３は前記第１モールド切片２６０に接着剤により固定されているため、前記第１モールド切片２６０を前記第２及び第３モールド切片２７０、２５０から分離する過程で、前記第１ランプユニット２１０も前記第２及び第３モールド切片２７０、２５０から共に分離される。即ち、前記第１ランプ反射板２１３が前記第３モールド切片２５０に固定されると、前記第１ランプユニット２１０が分離されないので、前記第１ランプ反射板２１３を前記第３モールド切片２５０とは分離しておくことが望ましい。
【００４１】
一方、前記第２ランプ反射板２２３は前記第２モールド切片２７０に接着剤により固定されているため、前記第２モールド切片２７０を前記第１及び第３モールド切片２６０、２５０から分離する過程で、前記第２ランプユニット２２０も前記第１及び第３モールド切片２６０、２５０から共に分離される。即ち、前記第２ランプ反射板２２３が前記第３モールド切片２５０に固定されると、前記第２ランプユニット２２０が分離されないので、前記第２ランプ反射板２２３を前記第３モールド切片２５０とは分離しておくことが望ましい。
【００４２】
これにより、前記第１及び第２Ｌ型ランプ２１１、２２１の寿命が尽き、または破損して、前記第１及び第２Ｌ型ランプ２１１、２２１を交替する場合に、前記バックライトアセンブリを、完全に分解せずに、容易に交替することができる。
【００４３】
ここで、前記モールドフレーム２８０の第１及び第３側壁２８１、２８３を分離する構造を提示した。これは、データ印刷回路基板１２０及びゲート印刷回路基板１３０が前記モールドフレーム２８０の第２及び第４側壁２８２、２８４を各々取り囲み、前記モールドフレーム２８０の背面に折り曲げられて定着されるために、前記第１及び第２ランプユニット２１０、２２０を前記第２及び第４側壁２８２、２８４を通じて引出すことが困難だからである。したがって、前記データ及びゲート印刷回路基板１２０、１３０が配置されていない第１及び第３側壁２８１、２８３を分離させるようにしている。
【００４４】
しかし、液晶表示装置５００が統合印刷回路基板（図示せず）を用いる場合は、前記統合印刷回路基板が配置された一側壁を除いたいずれの側壁からでも、前記第１及び第２ランプユニット２１０、２２０を引出すことができる。
【００４５】
図８及び図１１は、図４に示したモールドフレームを具体的に示した斜視図である。図９は図８に示したＡ部分の結合構造を具体的に示した図であり、図１０は図８に示したＢ部分の結合構造を具体的に示した図である。
【００４６】
図８及び図９に示すように、前記モールドフレーム２８０は第１モールド切片２６０、第２モールド切片２７０及び第３モールド切片２５０を備える。前記第３モールド切片２５０のうち、前記第１モールド切片２６０と接する第１端部２５１には第１結合孔２５１ａが形成され、前記第２モールド切片２７０と接する第２端部２５２には複数の第２結合孔２５２ａが形成される。一方、前記第１モールド切片２６０の第３端部２６１には前記第１結合孔２５１ａに対応する第１結合突起２６１ａが形成され、前記第２モールド切片２７０の第４端部２７１には、前記複数の第２結合孔２５２ａに対応する数の第２結合突起（図示せず）が形成される。なお、図９において、第１結合孔２５１ａ及び第１結合突起２６１ａはそれぞれ１つしか示されていないが、複数の第１結合孔２５１ａ及び第１結合突起２６１ａを設けることも可能である。
【００４７】
したがって、前記第１モールド切片２６０は、前記第１結合孔２５１ａに前記第１結合突起２６１ａを挿入することにより、前記第３モールド切片２５０と結合される。また、前記第２モールド切片２７０は、前記複数の第２結合孔２５２ａに前記複数の第２結合突起を挿入することにより、前記第３モールド切片２５０と結合される。
【００４８】
図９に示すように、前記第１結合突起２６１ａは、前記第１モールド切片２６０と隣接する一端部での第１直径が前記一端部の反対側にある他端部での第２直径より小さくなるように形成される。ここで、前記第１結合孔２５１ａ内の空間部分は、前記第１結合突起２６１ａと同一の形状に形成される。したがって、前記第１結合突起２６１ａは、前記他端部が前記第１結合孔２５１ａに挿入された後、前記一端部が挿入され、完全に結合する。ここで、前記第１モールド切片２６０は柔軟なプラスチック材質で形成されるため、前記他端部を押込むと前記第１結合孔２５１ａの直径が一時的に拡張されて、前記他端部が第１結合孔２５１ａに収納される。前記第１結合突起２６１ａが第１結合孔２５１ａ内に完全に収納されると、前記第１結合孔２５１ａは元の直径に復元され、前記第１結合突起２６１ａが第１結合孔２５１ａから抜け出ないようにする。これにより、前記第１結合突起２６１ａは前記第１結合孔２５１ａに堅固に固定される。
【００４９】
図面には図示しなかったが、前記第２結合突起は前記第１結合突起２６１ａと同一の形状を有する。
【００５０】
図８及び図１０に示すように、前記第２モールド切片２７０と接する前記第１モールド切片２６０の第５端部２６２には、複数の第３結合孔２６２ａが形成され、前記第１モールド切片２６０と接する前記第２モールド切片２７０の第６端部２７２には前記複数の第３結合孔２６２ａに対応する複数の第３結合突起２７２ａが形成される。
【００５１】
したがって、前記第２モールド切片２７０は前記複数の第３結合孔２６２ａに前記複数の第３結合突起２７２ａが挿入されることにより、前記第１モールド切片２６０と結合される。ここで、前記複数の第３結合突起２７２ａは前記複数の第１及び第２結合突起と同一の形状を有する。
【００５２】
このように、前記第１、第２及び第３モールド切片２６０、２７０、２５０が各々結合されることにより、図１１に示したモールドフレーム２８０が完成される。
【００５３】
本発明の一実施形態として、前記モールドフレーム２８０を、前記第１ランプユニット２１０、第２ランプユニット２２０、導光板２３０及び光学シート類２４０を収納する収納容器としたものを示した。しかし、前記収納容器は上述したような前記モールドフレーム２８０に限定されず、他の材質からなるフレームでも実現することができる。
【００５４】
また、図８乃至図１０において、前記第１、第２及び第３モールド切片２６０、２７０、２５０が互いにフック結合される構造を提示したが、前記第１、第２及び第３モールド切片２６０、２７０、２５０の結合構造は、これに限定されずに、本発明が属する技術分野において通常の知識を有するものであれば十分に分かる結合構造、例えば、スクリュー結合またはヒンジ結合されるような構造とすることができる。
【００５５】
図１２は図４に示した第１及び第２ランプユニットを具体的に示した斜視図である。
【００５６】
図１２に示すように、前記第１ランプユニット２１０は第１Ｌ型ランプ２１１及び第１ランプ反射板２１３を備える。前記第１ランプ反射板２１３の両端部には前記１及び第２電極（図示せず）が形成されている。ここで、前記第１及び第２電極が前記第１Ｌ型ランプ２１１の内部に形成されてもよく、前記第１Ｌ型ランプ２１１の外側面に形成されてもよい。
【００５７】
一方、前記第１ランプユニット２１０は、前記第１及び第２電極と電気的に結合され、前記第１Ｌ型ランプ２１１の両端部から各々引出された第１及び第２電極線２１４、２１５を備える。具体的に、前記第１及び第２電極線２１４、２１５は電源供給装置と結合される第１コネクタ２１９に連結される。
【００５８】
前記電源供給装置は前記第１電極線２１４を通じて、前記第１Ｌ型ランプ２１１に高電圧を印加し、前記第２電極線２１５を通じて前記第１Ｌ型ランプ２１１に低電圧を印加する。ここで、前記第２電極線２１５は前記第１Ｌ型ランプ２１１に沿って長く延び、前記第１電極線２１４付近で前記第１コネクタ２１９と結合する。したがって、前記電源供給装置を前記第１Ｌ型ランプ２１１の両端部各々に備えずに、前記第１電極線２１４が位置する一端部にのみ備えることにより、前記液晶表示装置の全体的のサイズを減少させる。
【００５９】
一方、前記第１Ｌ型ランプ２１１の両端部には前記第１及び第２電極線２１４、２１５を各々支持するための第１及び第２ランプホルダー２１６、２１７が設けられる。前記第１及び第２ランプホルダー２１６、２１７は前記第１及び第２電極線２１４、２１５が動いて前記第１及び第２電極と第１及び第２電極線２１４、２１５とが結合された部分が切れる現象を防止するために備えられる。
【００６０】
前記第１Ｌ型ランプ２１１に前記第１及び第２ランプホルダー２１６、２１７が嵌め合わされた状態で、第１Ｌ型ランプ２１１が前記第１ランプ反射板２１３に収納される。ここで、前記第１ランプ反射板２１３は前記第１Ｌ型ランプ２１１と同様のＬ字形状を有する。前記第１ランプ反射板２１３は前記第１Ｌ型ランプ２１１の一側をカバーして、前記一側と向き合う他方側に前記光を反射する。具体的に、前記第１ランプ反射板２１３は第１反射面２１３ａ、前記第１反射面２１３ａの一端部から垂直に延びる第２反射面、及び前記第２反射面と向き合い、前記一端部と対向する前記第１反射面２１３ａの他端部から延びる第３反射面２１３ｃを備える。ここで、前記第２及び第３反射面２１３ｂ、２１３ｃの第１反射面２１３ａからのる長さは互いに同一である。
【００６１】
図面に図示しなかったが、前記第１ランプ反射板２１３の外側面には前記第２電極線２１５を収納するための収納溝を形成することができ、前記第２電極線２１５を固定するための固定部材をさらに備えることができる。
【００６２】
前記第２ランプユニット２２０は前記第２Ｌ型ランプ２２１、第２ランプ反射板２２３、第３及び第４電極線２２４、２２５、第３及び第４ランプホルダー２２６、２２７及び第２コネクタ２２９とを備える。前記第２ランプユニット２２０の構造は、前記第１ランプユニット２１０の構造と同一であるために、それに関する説明は省略する。
【００６３】
ここで、前記第１及び第２ランプユニット２１０、２２０は、前記第１Ｌ型ランプ２１１に嵌められた第１ランプホルダー２１６と前記第２Ｌ型ランプ２２１に前記第３ランプホルダー２２６とが隣接するように配置され、前記第１Ｌ型ランプ２１１に嵌められた第２ランプホルダー２１７と前記第２Ｌ型ランプ２２１の第４ランプホルダー２２７が隣接するように配置される。したがって、前記第１及び第２ランプユニット２１０、２２０は一つの四角フレームを形成する。
【００６４】
図１３は第１及び第２ランプ反射板の変形例を示した図面である。
【００６５】
図１３に示すように、前記第１ランプ反射板１２１８は第１反射面１２１５、前記第１反射面１２１５の第１長辺１２１５ａから第１反射面に対して垂直に延びる第２反射面１２１６、及び、前記第２反射面１２１６と向き合い前記第１長辺１２１５ａの反対側に位置する第２長辺１２１５ｂから第１反射面に対して垂直に延びる第３反射面１２１７を備える。ここで、前記第３反射面１２１７は、前記第１反射面２１５の第１短辺１２１５ｃと第２短辺１２１５ｄとを結ぶ直線上に第３反射面１２１７の縁端面がくるように形成される。
【００６６】
一方、前記第２ランプ反射板１２２８は第４反射面１２２５、前記第４反射面１２２５の第３長辺１２２５ａから第４反射面１２２５に対して垂直に延びる第５反射面１２２６、及び、前記第５反射面１２２６と向き合い、第４反射面１２２５の前記第３長辺１２２５ａの反対側に位置する第４長辺１２２５ｂから第４反射面に対して垂直に延びる第６反射面２２７を備える。ここで、前記第６反射面１２２７は、前記第４反射面１２２５の第３短辺１２２５ｃと第４短辺１２２５ｄとを結ぶ直線上に第６反射面１２２７の縁端面がくるように形成される。
【００６７】
この時、前記第３反射面１２１７の縁端面が前記第６反射面１２２７の縁端面と面接触することにより、前記第３反射面１２１７と前記第６反射面１２２７が一つの四角形状の面を形成する。これにより、前記第３及び第６反射面１２１７、１２２７は前記導光板２３０から漏洩した光を再び反射する反射板として機能する。
【００６８】
図１４及び図１５は、図２に示したトップシャーシとモールドフレームとの結合構造を具体的に示した図面である。図１６はトップシャーシとモールドフレームが結合した状態を示した図面であり、図１７は図１６に示した液晶表示装置を切断線IV−IV′に切断して示した断面図である。
【００６９】
図１４及び図１５に示すように、トップシャーシ３００は第１乃至第４カバー面３１０、３２０、３３０、３４０、及び、前記第２及び第４カバー面３２０、３４０から各々延びる第１及び第２側壁面３５０、３６０を備える。前記トップシャーシ３００は前記モールドフレーム２８０と対向するように結合される。具体的に、前記トップシャーシ３００の第１乃至第４カバー面３１０、３２０、３３０、３４０は前記モールドフレーム２８０の第１及び第４上面２８６、２８７、２８８、２８９と各々結合され、前記第１及び第２側壁面３５０、３６０は前記モールドフレーム２８０の第２及び第４側壁２８２、２８４と各々結合される。
【００７０】
図１４に示したように、前記第１及び第３カバー面３１０、３３０には、各々複数の第１及び第２結合孔３１１、３３１が形成され、前記複数の第１及び第２結合孔３１１、３３１に対応させて前記第１及び第３上面２８６、２８８には各々複数の第１及び第２結合突起２８６ａ、２８８ａが形成される。
【００７１】
一方、図１５に示すように、前記第１及び第２側壁面３５０、３６０には、各々複数の第３及び第４結合孔３５１、３６１が形成され、前記複数の第３及び第４結合孔３５１、３６１に対応させて前記第２及び第４側壁２８２、２８４には各々複数の第３及び第４結合突起２８２ａ、２８４ａが形成される。
【００７２】
図１６及び図１７に示したように、前記トップシャーシ３００が前記モールドフレーム２８０に結合されると、前記複数の第１及び第２結合孔３１１、３３１に前記複数の第１及び第２結合突起２８６ａ、２８８ａが挿入される。また、前記複数の第３及び第４結合孔３５１、３６１に前記複数の第３及び第４結合突起２８２ａ、２８４ａが挿入される。これにより、前記トップシャーシ３００と前記モールドフレーム２８０が堅固に固定される。
【００７３】
図１８は図１６に示した液晶表示装置から第１及び第２ランプユニットを取り出す状態を示す斜視図である。
【００７４】
図１８に示すように、第１及び第２ランプユニット２１０、２２０を前記液晶表示装置５００から分離するために、前記第１及び第２ランプユニット２１０、２２０をカバーする第１及び第２モールド切片２６０、２７０を前記トップシャーシ３００から分離する作業が先に行われる。即ち、前記トップシャーシ３００に形成された複数の第１及び第２結合孔３１１、３３１に介されている前記第１及び第２モールド切片２６０、２７０の複数の第１及び第２結合突起２８６ａ、２８８ａを取り出す作業を通じて、前記トップシャーシ３００から前記第１及び第２モールド切片２６０、２７０を分離する。
【００７５】
ここで、前記トップシャーシ３００は前記第１及び第２モールド切片２６０、２７０と接する側壁を備えないため、前記トップシャーシ３００を完全に持ち上げなくても、前記第１及び第２モールド切片２６０、２７０を第３モールド切片（図示せず）から分離することができる。また、前記第１及び第２モールド切片２６０、２７０と前記トップシャーシ３００がフック結合されるため、前記トップシャーシ３００を完全に持ち上げなくても、前記第１及び第２モールド切片２６０、２７０を前記トップシャーシ３００から分離することができる。
【００７６】
前記第１及び第２モールド切片２６０、２７０をトップシャーシ３００から分離する過程で、前記第１モールド切片２６０と結合された第１ランプユニット２１０と、前記第２モールド切片２７０と結合された第２ランプユニット２２０とが共に引き出される。
【００７７】
図１４乃至図１８では、前記トップシャーシ３００が二つの第１及び第２側壁面３５０、３６０のみを有する構造を示した。しかし、前記トップシャーシ３００が四つの側壁面を有し、前記四つの側壁面が前記モールドフレーム２８０の側壁第１乃至第４側壁２８１、２８２、２８３、２８４と各々結合する構造を有することができる。ただ、前記液晶表示装置５００にこのようなトップシャーシを用いる場合、前記第１及び第２ランプユニット２１０、２２０を前記液晶表示装置５００から分離する作業は、前記トップシャーシを前記モールドフレーム２８０から完全に分離した後に実施することが望ましい。
【００７８】
図１９は図２に示したボトムシャーシの構造を具体的に示した斜視図である。図２０及び図２１はボトムシャーシの結合構造を具体的に示した断面図である。
【００７９】
図１９乃至図２１に示すように、前記ボトムシャーシ４００は前記モールドフレーム２８０の基底面２８５と接し、前記モールドフレーム２８０、導光板２３０、第１及び第２ランプユニット２１０、２２０が固定される定着面４１０、前記定着面４１０の端部から延び、前記モールドフレーム２８０の第２側壁２８２と前記トップシャーシ３００の第１側壁面３５０との間に位置する第３側壁面４２０と、前記定着面４１０の端部から延び、前記モールドフレーム２８０の第４側壁２８４と前記トップシャーシ３００の第２側壁面３６０との間に位置する第４側壁面４３０を備える。
【００８０】
前記第３及び第４側壁面４２０、４３０には、前記モールドフレーム２８０の複数の第３及び第４結合突起２８２ａ、２８４ａと各々結合する複数の第５及び第６結合孔４２１、４３１が形成されている。即ち、前記モールドフレーム２８０が前記ボトムシャーシ４００に収納されると、前記複数の第３及び第４結合突起２８２ａ、２８４ａは、前記複数の第５及び第６結合孔４２１、４３１に各々挿入される。これにより、前記モールドフレーム２８０は前記ボトムシャーシ４００と結合される。
【００８１】
前記ボトムシャーシ４００が前記トップシャーシ３００と対向して結合されると、前記第１及び第２側壁面３５０、３６０と、前記第３及び第４側壁面４２０、４３０が各々対面した状態になっている。ここで、モールドフレーム２８０の前記複数の第３及び第４結合突起２８２ａ、２８４ａが、前記トップシャーシ３００の第３及び第４結合孔３５１、３６１に各々挿入される。これにより、前記トップシャーシ３００が前記モールドフレーム２８０に結合される。
【００８２】
図１９乃至図２１で、前記ボトムシャーシ４００は前記第３及び第４側壁面４２０、４３０を有し、前記モールドフレーム２８０の第１及び第３側壁２８１、２８３に対応する部分を各々開口させる構造を有する。したがって、前記ボトムシャーシ４００を前記モールドフレーム２８０から分離せず、前記第１及び第２ランプユニット２１０、２２０を取り出すことができる。
【００８３】
しかし、前記ボトムシャーシ４００は前記第３及び第４側壁面４２０、４３０以外に、前記モールドフレーム２８０の第１及び第３側壁２８１、２８３と各々向き合う第５及び第６側壁面（図示せず）をさらに備えることができる。ただ、前記液晶表示装置５００がこのようなボトムシャーシを用いる場合、前記第１及び第２ランプユニット２１０、２２０の分離は、前記モールドフレーム２８０とボトムシャーシを完全に分離した後に実施することが望ましい。
【００８４】
＜第２実施形態＞
図２２は本発明の第２実施形態によるバックライトアセンブリを具体的に示した分解斜視図であり、図２３は図２２に示したモールドフレームを示した斜視図である。
【００８５】
図２２に示すように、バックライトアセンブリ６００は、光を発生するランプユニット６１０、前記光をガイドするための導光板６２０、前記導光板６２０から射出された光の均一性を向上させるための光学シート類６３０、及び前記導光板６２０から漏洩された光を再び導光板６２０に反射するための反射板６３５を備える。前記ランプユニット６１０、導光板６２０、光学シート類６３０、及び反射板６３５はモールドフレーム６６０に収納される。
【００８６】
前記モールドフレーム６６０は基底面６６５、収納空間を前記基底面６６５の端部から延びる第１乃至第４側壁６６１、６６２、６６３、６６４、及び前記第１乃至第４側壁６６１、６６２、６６３、６６４から前記基底面６６５と向き合うように延びる四つの上面６６６、６６７、６６８、６６９からなる。前記収納空間には前記反射板６３５が収納され、前記反射板６３５上には前記第１乃至第４側壁６６１、６６２、６６３、６６４と第１乃至第４側面６２１、６２２、６２３、６２４とが向き合うように前記導光板６２０が収納される。前記導光板６２０の第１及び第２側面６２１、６２２と前記第１及び第２側壁６６１、６６２との間に、前記ランプユニット６１０が収納される。一方、前記導光板６２０上には前記光学シート類６３０が収納される。
【００８７】
図２３に示したように、前記モールドフレーム６６０の前記第１側壁６６１は前記第２及び第３側壁６６２、６６３から分離され、前記第１側壁６６１と連結されている第１上面６６６は第２及び第３上面６６７、６６８から分離される。また、前記第１側壁６６１と連結され前記第１上面６６６と対向する位置にある第１基底面６６５ａも、前記第２基底面６６５ｂから分離される。以下、前記第１側壁６６１、第１上面６６６及び前記第１基底面６６５ａからなる部材を“第１モールド切片６４０”と称する。前記第１モールド切片６４０を除外したその他の切片を“第２モールド切片６５０”と称する。
【００８８】
前記第２モールド切片６５０と面する前記第１モールド切片６４０の端部には、所定の高さに突出された複数の第１結合突起６４１が形成され、前記第２モールド切片６５０には、前記複数の第１結合突起６４１に対応する位置に複数の第１結合孔６５１が形成される。
【００８９】
したがって、前記複数の第１結合突起６４１が前記複数の第１結合孔６５１に嵌め合わされることにより、前記第１モールド切片６４０と前記第２モールド切片６５０とが結合され、これにより前記モールドフレーム６６０が完成する。
【００９０】
図２４は図２２に示したランプユニットを具体的に示した斜視図であり、図２５はモールドフレームでランプユニットを取出す状態を示した図面である。
【００９１】
図２４に示すように、ランプユニット６１０はＬ型ランプ６１１及びランプ反射板６１３を備える。前記Ｌ型ランプ６１１の両端部には第１及び第２電極（図示せず）が形成されている。前記ランプユニット６１０は前記第１及び第２電極と電気的に結合され、前記Ｌ型ランプ６１１の両端部から引き出された第１及び第２電極線６１４、６１５をさらに備える。具体的に、前記第１及び第２電極線６１４、６１５はコネクタ６１９と結合されており、コネクタ６１９を介して前記第１及び第２電極線６１４、６１５に各々電圧を印加するための電源供給装置（図示せず）と電気的に連結される。
【００９２】
前記電源供給装置は、前記第１電極線６１４を通じてＬ型ランプ６１１に高電圧を印加し、前記第２電極線６１５を通じて前記Ｌ型ランプ６１１に低電圧を印加する。ここで、前記第２電極線６１５は前記Ｌ型ランプ６１１に沿って長く延び、前記第１電極線６１４付近で前記コネクタ６１９と結合する。
【００９３】
一方、前記Ｌ型ランプ６１１の両端部は、前記第１及び第２電極線６１４、６１５を各々支持するための第１及び第２ランプホルダー６１６、６１７に各々挿入される。前記第１及び第２ランプホルダー６１６、６１７は前記第１及び第２電極線６１４、６１５と前記第１及び第２電極が結合された部分での断線現象を防止する。
【００９４】
前記Ｌ型ランプ６１１に前記第１及び第２ランプホルダー６１６、６１７が挿入された状態で、Ｌ型ランプ６１１は前記ランプ反射板６１３に収納される。ここで、前記ランプ反射板６１３は前記Ｌ型ランプ６１１と同様のＬ字形状を有する。前記ランプ反射板６１３は、前記導光板（図示せず）の第１及び第２側面と向き合う前記Ｌ型ランプ６１１の一側を開口させながら、前記Ｌ型ランプ６１１をカバーする。ここで、長く引き出された前記第２電極線６１５は前記ランプ反射板６１３の外側面に固定される。
【００９５】
図面に図示しなかったが、前記ランプ反射板６１３の外側面には前記第２電極線６１５を収納するための収納溝を形成することができ、また、前記第２電極線６１５を固定するための固定部材をさらに備えることができる。
【００９６】
図２５に示すように、前記第１モールド切片６４０が前記第２モールド切片６５０から分離されると、前記第２モールド切片６５０には前記第１モールド切片６４０に対応する第１開口部が形成され、前記ランプユニット６１０を露出させる。前記ランプユニット６１０は前記第１開口部を通じて外部に引き出されて、前記バックライトアセンブリ６００から完全に分離される。
【００９７】
ここで、前記ランプ反射板６１３は前記第１モールド切片６４０に接着剤により固定されているために、前記第１モールド切片６４０を前記第２モールド切片６５０から分離する過程で、前記ランプユニット６１０が第１モールド切片６４０と共に分離される。前記ランプ反射板６１３が前記第２モールド切片６５０に接着剤により固定されると、前記ランプユニット６１０を第２モールド切片６５０から分離できないので、前記ランプ反射板６１３は前記第２モールド切片６５０とは接着されていないことが望ましい。
【００９８】
このように構成することにより、前記Ｌ型ランプ６１１の寿命が尽き、または破損された前記Ｌ型ランプ６１１を交替する場合、前記バックライトアセンブリ６００を全体的に分解せずに、Ｌ型ランプを容易に交替することができる。
【００９９】
＜第３実施形態＞
図２６は本発明の第３実施形態によるバックライトアセンブリを示した分解斜視図であり、図２７は図２６に示したランプユニットを具体的に示した斜視図である。
【０１００】
図２６及び図２７に示すように、バックライトアセンブリ７００は、光を発生するランプユニット７１０、前記光をガイドするための導光板７２０、前記導光板７２０から射出された光の均一性を向上させるための光学シート類７３０、及び前記導光板７２０から漏洩された光を再び前記導光板７２０に向かって反射するための反射板７３５を備える。前記ランプユニット７１０、導光板７２０、光学シート類７３０及び反射板７３５をモールドフレーム７６０に収納される。
【０１０１】
前記モールドフレーム７６０は基底面７６５、収納空間をなすように、前記基底面７６５の端部から延びる第１乃至第４側壁７６１、７６２、７６３、７６４、及び前記第１乃至第４側壁７６１、７６２、７６３、７６４から前記基底面７６５と向き合うように延びる四つの上面７６６、７６７、７６８、７６９からなる。前記収納空間には前記反射板７３５が収納される。前記反射板７３５上には、モールドフレーム７６０の前記第１乃至第４側壁７６１、７６２、７６３、７６４と導光板７２０の第１乃至第４側面７２１、７２２、７２３、７２４とが向き合うように、前記導光板７２０が収納される。前記導光板７２０の第１、第２及び第３側面７２１、７２２、７２３と、前記第１、第２及び第３側壁７６１、７６２、７６３との間に前記ランプユニット７１０が収納される。一方、導光板７２０上には前記光学シート類７３０が収納される。
【０１０２】
図２７に示すように、前記ランプユニット７１０はＵ型ランプ７１１及びＵ型ランプ反射板７１３を備える。前記Ｕ型ランプ７１１の両端部には第１及び第２電極（図示せず）が形成されている。前記ランプユニット７１０は、前記第１及び第２電極と電気的に結合され、前記Ｕ型ランプ７１１の両端部から引き出された第１及び第２電極線７１４、７１５をさらに備える。前記第１及び第２電極線７１４、７１５は、コネクタ７１９と結合して、このコネクタ７１９を介して前記第１及び第２電極線７１４、７１５に各々電圧を印加するための電源供給装置（図示せず）と結合される。
【０１０３】
一方、前記Ｕ型ランプ７１１の両端部は、前記第１及び第２電極線７１４、７１５を各々支持するための第１及び第２ランプホルダー７１６、７１７に各々挿入される。前記Ｕ型ランプ反射板７１３は、前記導光板７２０の第１及び第２側面７２１、７２２と向き合う前記Ｕ型ランプ７１１の一側を開口させながら、前記Ｕ型ランプ７１１をカバーする。
【０１０４】
図２８は図２６に示したバックライトアセンブリでランプユニットを取り出す状態を示した図面である。
【０１０５】
図２８に示すように、前記第１側壁７６１は前記第２及び第３側壁７６２、７６３から分離され、前記第１側壁７６１と連結される第１上面７６６は、第２及び第３上面７６７、７６８から分離される。また、前記第１側壁７６１と連結され前記第１上面７６６と向い合う位置にある第１基底面７６５ａも、第２基底面７６５ｂから分離される。以下、前記第１側壁７６１、第１上面７６６及び第１基底面７６５ａからなる部材を“第１モールド切片７４０”と称する。前記第１モールド切片７４０を除外したその他の切片を“第２モールド切片７５０”と称する。
【０１０６】
前記第１モールド切片７４０が前記第２モールド切片７５０から分離されると、前記第２モールド切片７５０には前記第１モールド切片７４０に対応する開口部７５１が形成され、前記ランプユニット７１０を露出させる。前記ランプユニット７１０は前記開口部７５１を通じて外部に引出きされ、前記バックライトアセンブリ７００から完全に分離される。
【０１０７】
ここで、前記Ｕ型ランプ反射板７１３は接着剤により前記第１モールド切片７４０に固定されるため、前記第１モールド切片７４０を前記第２モールド切片７５０から分離する過程で前記ランプユニット７１０も第１モールド切片７４０とともに分離される。
【０１０８】
以上、各実施形態を参照してＬ型ランプ、Ｕ型ランプ及び二つのＬ型ランプを有する液晶表示装置に使用されるモールドフレーム構造及びこれの結合関係を具体的に説明した。しかし、前記液晶表示装置は前記実施形態で提示した形態以外のランプを備えることができ、前記ランプ形態に応じて、前記ランプを外部に取出すことができるように前記モールドフレームの構造を十分に変更することができる。
【０１０９】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１１０】
【発明の効果】
本発明によると、光を発生して導光板に前記光を提供するランプユニットはＬ型、Ｕ型または二つのＬ型ランプからなり、前記モールドフレームに収納される。前記ランプユニットと、導光板と、光学シート類と、反射板とを収納するモールドフレームは二以上の切片に分離される。前記モールドフレームが前記二以上の切片に分離される時、前記ランプユニットを前記液晶表示装置の外部に引き出すことができる。
【０１１１】
したがって、十分な光量を確保しながら、液晶表示装置の厚さが増加されることを防止することができ、前記導光板の四つの側面で光が入射されるために、前記導光板の全面にわたって等しい光分布を形成することができる。
【０１１２】
また、ランプの寿命が尽きたり不良が発生したりしたランプを交替する場合、前記モールドフレームの切片を分離する作業のみで前記ランプを交替することができるので、前記液晶表示装置の作業効率を向上させることができる。
【図面の簡単な説明】
【図１】従来の液晶表示装置を示した分解斜視図である。
【図２】本発明の望ましい一実施形態による液晶表示装置を具体的に示した分解斜視図である。
【図３】図２に示した液晶表示装置を切断線Ｉ−Ｉ′に切断して示した断面図である。
【図４】図２に示したバックライトアセンブリの結合構造を具体的に示した斜視図である。
【図５】図４に示したバックライトアセンブリを切断線II−II′に切断して示した断面図である。
【図６】図４に示したバックライトアセンブリを切断線III−III′に切断して示した断面図である。
【図７】図４に示したバックライトアセンブリの第１及び第２ランプユニットが分離された状態を示した斜視図である。
【図８】図４に示したモールドフレームを具体的に示した斜視図である。
【図９】図８に示したＡ部分の結合構造を具体的に示した図面である。
【図１０】図８に図示されたＢ部分の結合構造を具体的に示した図面である。
【図１１】図４に示したモールドフレームを具体的に示した斜視図である。
【図１２】図４に示した第１及び第２ランプユニットを具体的に示した斜視図である。
【図１３】第１及び第２ランプ反射板の変形例を示した斜視図である。
【図１４】図２に示したトップシャーシとモールドフレームとの結合構造を具体的に示した図面である。
【図１５】図２に示したトップシャーシとモールドフレームとの結合構造を具体的に示した図面である。
【図１６】トップシャーシとモールドフレームが結合した状態を示した図面である。
【図１７】図１６に示した液晶表示装置を切断線IV−IV′に切断して示した断面図である。
【図１８】図１６に示した液晶表示装置から第１及び第２ランプユニットを取出す状態を示した斜視図である。
【図１９】図２に示したボトムシャーシの構造を具体的に示した斜視図である。
【図２０】ボトムシャーシの結合構造を具体的に示した断面図である。
【図２１】ボトムシャーシの結合構造を具体的に示した断面図である。
【図２２】本発明の他の実施形態によるバックライトアセンブリを具体的に示した分解斜視図である。
【図２３】図２２に示したモールドフレームを示した斜視図である。
【図２４】図２２に示したランプユニットを具体的に示した斜視図である。
【図２５】モールドフレームでランプユニットを取出す状態を示した図面である。
【図２６】本発明のまた他の実施形態によるバックライトアセンブリを示した分解斜視図である。
【図２７】図２６に示したランプユニットを具体的に示した斜視図である。
【図２８】図２６に示したバックライトアセンブリにおいてランプユニットを取出す状態を示した図面である。
【符号の説明】
１００    ディスプレーユニット
２００    バックライトアセンブリ
２１０    第１ランプユニット
２１１    第１Ｌ型ランプ
２１３    第１ランプ反射板
２２０    第２ランプユニット
２２１    第２Ｌ型ランプ
２２３    第２ランプ反射板
２５０    第３モールド切片
２６０    第１モールド切片
２７０    第２モールド切片
２８０    モールドフレーム
３００    トップシャーシ
４００    ボトムシャーシ
５００    液晶表示装置
【図１】
0004204875.tif 000002
【図２】
0004204875.tif 000003
【図３】
0004204875.tif 000004
【図４】
0004204875.tif 000005
【図５】
0004204875.tif 000006
【図６】
0004204875.tif 000007
【図７】
0004204875.tif 000008
【図８】
0004204875.tif 000009
【図９】
0004204875.tif 000010
【図１０】
0004204875.tif 000011
【図１１】
0004204875.tif 000012
【図１２】
0004204875.tif 000013
【図１３】
0004204875.tif 000014
【図１４】
0004204875.tif 000015
【図１５】
0004204875.tif 000016
【図１６】
0004204875.tif 000017
【図１７】
0004204875.tif 000018
【図１８】
0004204875.tif 000019
【図１９】
0004204875.tif 000020
【図２０】
0004204875.tif 000021
【図２１】
0004204875.tif 000022
【図２２】
0004204875.tif 000023
【図２３】
0004204875.tif 000024
【図２４】
0004204875.tif 000025
【図２５】
0004204875.tif 000026
【図２６】
0004204875.tif 000027
【図２７】
0004204875.tif 000028
【図２８】
0004204875.tif 000029